(57)【要約】      （修正有）【課題】車両の搭乗者に対して柔軟に情報を提供する。【解決手段】情報提供装置２００は、車両２４０において利用される。情報提供装置２００は、情報提供装置２００と通信可能に接続されている携帯端末１０−１，１０−２，１０−３，１０−４へ出力情報を出力する。ここで、情報提供装置２００は、情報提供装置２００と通信可能に接続されている複数の携帯端末の中から、出力情報の出力先とする携帯端末を特定する。そして、情報提供装置２００は、特定した携帯端末に対して出力情報を出力する。【選択図】図１
2018105745.tif 000002
【特許請求の範囲】
【請求項１】
車両において利用される情報提供装置であって、
当該情報提供装置と通信可能に接続されている携帯端末へ出力する情報を取得し、当該情報提供装置と通信可能に接続されている複数の携帯端末の中から、前記取得した情報の出力先とする携帯端末を特定する出力先特定手段と、
前記取得した情報を前記特定した携帯端末へ出力する出力手段と、
を有する情報提供装置。
【請求項２】
前記車両に搭載されている請求項１に記載の情報提供装置。
【請求項３】
前記車両のドライバによって利用される携帯端末であるドライバ端末を特定するドライバ端末特定手段を有し、
前記出力先特定手段は、前記ドライバへ出力すべき情報を取得した場合、その情報の出力先として前記ドライバ端末を特定する、請求項１又は２に記載の情報提供装置。
【請求項４】
前記ドライバへ出力すべき情報は、前記車両の制御に関する情報、前記車両の周囲の環境に関する情報、及び前記車両が走行する道路に関する情報のいずれか１つ以上を含む、請求項３に記載の情報提供装置。
【請求項５】
前記車両がとりうる走行状態には、ドライバの操作に応じて走行する手動走行状態、及び自動運転制御装置による制御に応じて走行する自動走行状態が含まれ、
前記車両の制御に関する情報は、前記車両の走行状態が前記自動走行状態から前記手動走行状態に変化することを示す、請求項４に記載の情報提供装置。
【請求項６】
前記車両のドライバによって利用される携帯端末であるドライバ端末を特定するドライバ端末特定手段を有し、
前記出力先特定手段は、前記ドライバの状態に関する情報を取得し、その情報の出力先として、前記ドライバ端末以外の携帯端末を特定する、請求項１〜５のいずれか一項に記載の情報提供装置。
【請求項７】
前記ドライバの状態に関する情報は、前記ドライバの集中力の高さ、前記ドライバの眠気の大きさ、及び前記ドライバの疲労度合いのいずれか１つ以上に関する情報である、請求項６に記載の情報提供装置。
【請求項８】
前記ドライバ端末特定手段は、前記車両と通信可能に接続されている各携帯端末から、その携帯端末が前記ドライバ端末であるか否かを指定する入力を受け付け、前記ドライバ端末であることが指定された前記携帯端末を、前記ドライバ端末として特定する、請求項３〜７のいずれか一項に記載の情報提供装置。
【請求項９】
前記ドライバ端末を接続させる接続インタフェースが前記車両に設けられており、
前記ドライバ端末特定手段は、前記接続インタフェースに接続された携帯端末を前記ドライバ端末として特定する、請求項３〜７のいずれか一項に記載の情報提供装置。
【請求項１０】
前記車両を対象とする損害保険の保険料の算出に用いる情報を管理するサーバ装置と通信可能に接続されており、
前記ドライバ端末が前記車両と通信可能に接続されている旨の通知を前記サーバ装置へ出力する第２出力手段を有する、請求項３〜９のいずれか一項に記載の情報提供装置。
【請求項１１】
車両において利用されるコンピュータによって実行される制御方法であって、
前記コンピュータと通信可能に接続されている携帯端末へ出力する情報を取得し、前記コンピュータと通信可能に接続されている複数の携帯端末の中から、前記取得した情報の出力先とする携帯端末を特定する出力先特定ステップと、
前記取得した情報を前記特定した携帯端末へ出力する出力ステップと、
を有する制御方法。
【請求項１２】
コンピュータに、請求項１１に記載の制御方法の各ステップを実行させるプログラム。
【発明の詳細な説明】
【技術分野】
【０００１】
本発明は、情報提供装置、制御方法、及びプログラムに関する。
【背景技術】
【０００２】
自動車などの車両では、搭乗者（特にドライバ）に対して、種々の情報が通知される。例えば、カーナビゲーションシステムのディスプレイには、目的地までの経路などが表示される。その他にも特許文献１のシステムでは、自動車の走行モードを自動運転モードから手動運転モードに切り替える際に、その自動車のメータクラスタ内に配置されたディスプレイにおいて、その自動車と周囲の自動車の位置関係などが表示される。
【先行技術文献】
【特許文献】
【０００３】
【特許文献１】特開２０１６−１８２９０６号公報
【発明の概要】
【発明が解決しようとする課題】
【０００４】
カーナビゲーションシステムのディスプレイやメータクラスタに配置されたディスプレイなど、車両に予め設置されているディスプレイを利用して情報を提供する方法は、場面によって必ずしも搭乗者にとって好ましい方法であると言えない。例えば、これら車両に予め設置されているディスプレイは主にドライバへ情報を提供するために設けられているため、後部座席に座っている搭乗者には見にくいことがある。
【０００５】
また、自動運転中の車両ではドライバが運転姿勢を取らずに種々の作業を行うことがある。そのため、運転姿勢を取っているドライバにとって見やすいように設置されているカーナビゲーションシステムなどのディスプレイは、このような運転姿勢を取っていないドライバにとっては見にくいことがある。
【０００６】
本発明は、上述の課題に鑑みてなされたものであり、車両の搭乗者に対して柔軟に情報を提供することを一つの目的とする。
【課題を解決するための手段】
【０００７】
請求項１に記載の発明は、車両において利用される情報提供装置の発明である。当該情報提供装置は、（１）当該情報提供装置と通信可能に接続されている携帯端末へ出力する情報を取得し、当該情報提供装置と通信可能に接続されている複数の携帯端末の中から、前記取得した情報の出力先とする携帯端末を特定する出力先特定手段と、（２）前記取得した情報を前記特定した携帯端末へ出力する出力手段と、を有する。
【０００８】
請求項１１に記載の発明は、車両において利用されるコンピュータによって実行される制御方法の発明である。当該制御方法は、（１）前記コンピュータと通信可能に接続されている携帯端末へ出力する情報を取得し、前記コンピュータと通信可能に接続されている複数の携帯端末の中から、前記取得した情報の出力先とする携帯端末を特定する出力先特定ステップと、（２）前記取得した情報を前記特定した携帯端末へ出力する出力ステップと、を有する。
【０００９】
請求項１２に記載の発明は、請求項１１に記載の制御方法の各ステップをコンピュータに実行させるプログラムの発明である。
【図面の簡単な説明】
【００１０】
【図１】実施形態１の情報提供装置の動作の概要を例示する図である。
【図２】実施形態１の情報提供装置を例示するブロック図である。
【図３】情報提供装置のハードウエア構成を例示する図である。
【図４】実施形態１の情報提供装置によって実行される処理の流れを例示するフローチャートである。
【図５】携帯端末において、車両の加速に関する速度制御情報が提示される様子を例示する図である。
【図６】携帯端末において、車両の減速に関する速度制御情報が提示される様子を例示する図である。
【図７】携帯端末においてステアリング制御情報が提示される様子を例示する図である。
【図８】携帯端末において、車両の走行状態が自動走行状態から手動走行状態に切り替わるタイミングが提示される様子を例示する図である。
【図９】携帯端末において、他車情報が提示される様子を例示する図である。
【図１０】携帯端末において、障害物情報が提示される様子を例示する図である。
【図１１】携帯端末において、道路情報が提示される様子を例示する図である。
【図１２】携帯端末において、ドライバ状態情報が提示される様子を例示する図である。
【図１３】出力情報の種類と、携帯端末の識別子との対応付けをテーブル形式で例示する図である。
【図１４】実施形態２の情報提供装置を例示するブロック図である。
【図１５】携帯端末から入力を受け付ける方法を例示する図である。
【図１６】実施形態３の情報提供装置をその使用環境と共に例示するブロック図である。
【発明を実施するための形態】
【００１１】
以下、本発明の実施の形態について、図面を用いて説明する。尚、すべての図面において、同様な構成要素には同様の符号を付し、適宜説明を省略する。また、特に説明する場合を除き、ブロック図における各ブロックは、ハードウエア単位の構成ではなく、機能単位の構成を表している。
【００１２】
＜情報提供装置２００の動作の概要＞
図１は、実施形態１の情報提供装置２００の動作の概要を例示する図である。なお、図１は情報提供装置２００の動作の理解を容易にするための図であり、情報提供装置２００の動作を何ら限定するものではない。
【００１３】
情報提供装置２００は、車両２４０において利用される。車両２４０は、自動車などの任意の車両である。車両２４０には、複数の携帯端末１０が通信可能に接続されている。例えば携帯端末１０は、車両２４０の搭乗者が利用するスマートフォン、タブレット端末、又はノート PC（Personal Computer）などである。
【００１４】
ここで、情報提供装置２００は、車両２４０に対して固定されている据え置き型の装置であってもよいし、車両２４０に対して固定されていない可搬型の装置であってもよい。
【００１５】
情報提供装置２００は、情報提供装置２００と通信可能に接続されている携帯端末１０へ、情報を出力する。携帯端末１０に対して出力する情報を、出力情報を呼ぶ。ここで、情報提供装置２００は、情報提供装置２００と通信可能に接続されている複数の携帯端末１０の中から、出力情報の出力先とする携帯端末１０を特定する。そして、情報提供装置２００は、特定した携帯端末１０に対して出力情報を出力する。
【００１６】
例えば図１では、車両２４０の中に、携帯端末１０−１から携帯端末１０−４という４つの携帯端末１０があり、それぞれが情報提供装置２００と通信可能に接続されている。情報提供装置２００は、この中から、出力情報の出力先とする携帯端末１０として、携帯端末１０−３を特定している。そのため、複数の携帯端末１０のうち、携帯端末１０−３に対してのみ出力情報が出力されている。なお、出力情報の出力先として特定される携帯端末１０は、１つであってもよいし、複数であってもよい。
【００１７】
出力情報を取得した携帯端末１０は、その出力情報を任意の方法で出力する。例えば携帯端末１０は、携帯端末１０のディスプレイ装置において、出力情報を視覚的に表示する。その他にも例えば、携帯端末１０は、携帯端末１０のスピーカから、出力情報を音声で出力させてもよい。
【００１８】
＜情報提供装置２００の構成の概要＞
図２は、実施形態１の情報提供装置２００を例示するブロック図である。情報提供装置２００は、出力先特定部２０２及び出力部２０４を有する。出力先特定部２０２は出力情報を取得する。また、出力先特定部２０２は、情報提供装置２００と通信可能に接続されている複数の携帯端末１０の中から、取得した出力情報の出力先とする携帯端末１０を特定する。出力部２０４は、出力先特定部２０２によって特定された携帯端末１０へ出力情報を提供する。
【００１９】
本実施形態の情報提供装置２００によれば、情報提供装置２００と通信可能に接続されている携帯端末１０に対して出力情報が提供される。そのため、例えば後部座席に座っている搭乗者や、自動運転中の車両２４０において運転姿勢をとっていない搭乗者（ドライバ）にとっては、車両２４０に予め設置されているディスプレイ（例えばカーナビゲーションシステムのディスプレイ）に情報が表示される場合よりも、その情報を把握しやすいといえる。そのため、情報提供装置２００によれば、車両２４０の搭乗者に対し、把握しやすい方法で情報を提供することができる。
【００２０】
また、本実施形態の情報提供装置２００によれば、情報提供装置２００と通信可能に接続されている携帯端末１０のうち、特定の携帯端末１０に対して出力情報が出力される。こうすることで、例えば、出力情報の出力先を、その出力情報の内容を把握すべき搭乗者が利用している携帯端末１０のみに限定するといったことが可能となる。このように、情報提供装置２００によれば、車両２４０の搭乗者に対して柔軟に情報を提供することができる。
【００２１】
以下、本実施形態の情報提供装置２００について、さらに詳細に説明する。
【００２２】
＜情報提供装置２００のハードウエア構成の例＞
情報提供装置２００の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、情報提供装置２００の各機能構成部がハードウエアとソフトウエアとの組み合わせで実現される場合について、さらに説明する。
【００２３】
図３は、情報提供装置２００のハードウエア構成を例示する図である。計算機１００は、情報提供装置２００を実現する計算機である。例えば計算機１００は、車両２４０に搭載されている ECU である。その他にも例えば、計算機１００は、車両２４０に設けられているカーナビゲーション装置である。その他にも例えば、計算機１００は、車両２４０の中で利用される携帯端末であってもよい。この携帯端末は、出力情報の出力先の候補の１つとなる携帯端末（携帯端末１０）であってもよいし、出力情報の出力先の候補とはならない携帯端末であってもよい。なお計算機１００は、情報提供装置２００を実現するために専用に設計された計算機であってもよいし、汎用の計算機であってもよい。
【００２４】
計算機１００は、バス１０２、プロセッサ１０４、メモリ１０６、ストレージデバイス１０８、入出力インタフェース１１０、及びネットワークインタフェース１１２を有する。バス１０２は、プロセッサ１０４、メモリ１０６、ストレージデバイス１０８、入出力インタフェース１１０、及びネットワークインタフェース１１２が、相互にデータを送受信するためのデータ伝送路である。ただし、プロセッサ１０４などを互いに接続する方法は、バス接続に限定されない。プロセッサ１０４は、マイクロプロセッサ、CPU（Central Processing Unit）、又は GPU（Graphics Processing Unit）などを用いて実現される演算処理装置である。メモリ１０６は、RAM（Random Access Memory）などを用いて実現される主記憶装置である。ストレージデバイス１０８は、ROM（Read Only Memory）やフラッシュメモリなどを用いて実現される補助記憶装置である。ただし、ストレージデバイス１０８は、RAM など、主記憶装置を構成するハードウエアと同様のハードウエアで構成されてもよい。
【００２５】
入出力インタフェース１１０は、計算機１００を周辺機器と接続するためのインタフェースである。なお、入出力インタフェース１１０には、アナログの入力信号をデジタル信号に変換する A/D コンバータや、デジタルの出力信号をアナログ信号に変換する D/A コンバータなどが適宜含まれてもよい。
【００２６】
ネットワークインタフェース１１２は、計算機１００が他の計算機と通信を行うためのインタフェースである。例えば、情報提供装置２００と通信可能に接続されている携帯端末１０は、ネットワークインタフェース１１２を介して、情報提供装置２００と通信を行う。この通信は、例えば Bluetooth（登録商標）などの無線通信によって行われる。
【００２７】
その他にも例えば、計算機１００は、ネットワークインタフェース１１２を介して、CAN（Controller Area Network）通信網に接続してもよい。
【００２８】
ストレージデバイス１０８は、情報提供装置２００の各機能構成部を実現するためのプログラムモジュールを記憶している。プロセッサ１０４は、このプログラムモジュールをメモリ１０６に読み出して実行することで、情報提供装置２００の機能を実現する。
【００２９】
＜処理の流れ＞
図４は、実施形態１の情報提供装置２００によって実行される処理の流れを例示するフローチャートである。出力先特定部２０２は出力情報を取得する（Ｓ１０２）。出力先特定部２０２は、出力情報の出力先とする携帯端末１０を特定する（Ｓ１０４）。出力部２０４は、特定した携帯端末１０へ出力情報を出力する（Ｓ１０６）。
【００３０】
＜出力情報のバリエーション＞
情報提供装置２００によって取得及び出力される出力情報には、様々なものを採用できる。例えば出力情報は、制御情報、環境情報、道路情報、及びドライバ状態情報の内の１つ以上を含む。制御情報は、車両２４０の制御に関する情報である。環境情報は、車両２４０の周辺の環境に関する情報である。道路情報は、車両２４０が走行する道路に関する情報である。ドライバ状態情報は、車両２４０のドライバの状態に関する情報である。以下、各情報についてさらに詳細に説明する。
【００３１】
＜＜制御情報＞＞
車両２４０が、自動運転の機能を持つ車両であるとする。この場合、車両２４０がとりうる走行状態には少なくとも、手動走行状態及び自動走行状態が含まれる。手動走行状態の車両２４０は、ドライバの操作に応じて走行する。一方、自動走行状態の車両２４０は、車両２４０の自動運転を制御する装置（以下、自動運転制御装置）による制御に応じて走行する。自動運転制御装置は、例えば車両２４０に搭載されている１つ以上の ECU（Electronic Control Unit）によって実現される。
【００３２】
制御情報は、このような自動運転の機能を持つ車両２４０において自動運転制御装置によって行われる、車両２４０の制御に関する情報である。例えば制御情報は、速度制御情報、ステアリング制御情報、及び走行状態制御情報のいずれか１つ以上を含む。速度制御情報は、車両２４０の速度の制御に関する情報である。ステアリング制御情報は、車両２４０のステアリングの制御に関する情報である。走行状態制御情報は、車両２４０の走行状態の制御に関する情報である。以下、これら３つの種類の情報についてそれぞれ説明する。
【００３３】
＜＜＜速度制御情報＞＞＞
自動走行状態において、例えば自動運転制御装置は、車両２４０の速度の制御（加速や減速の制御）を行う。そこで、例えば出力先特定部２０２は、制御情報として速度制御情報を取得する。
【００３４】
速度制御情報は、例えば、加速後の車両２４０の速度（何 km/h まで車両２４０を加速させるか）や減速後の車両２４０の速度（何 km/h まで車両２４０を減速させるか）を示す。この際、速度制御情報は、加速や減速に要する時間を合わせて示していてもよい。その他にも例えば、速度制御情報は、今後の車両２４０の速度変化を示す。
【００３５】
図５は、携帯端末１０において、車両２４０の加速に関する速度制御情報が提示される様子を例示する図である。図５（ａ）のケースにおいて、携帯端末１０に対して出力される速度制御情報は、「車両２４０が 60km/h まで加速される」ということを示している。そこで携帯端末１０のディスプレイ装置１２には、「60km/h まで加速する」という旨の通知３０が表示されている。
【００３６】
図５（ｂ）のケースにおいて、携帯端末１０に対して出力される速度制御情報は、今後５秒間における車両２４０の速度の変化を示している。そこで携帯端末１０のディスプレイ装置１２には、今後５秒間における車両２４０の速度の変化を表すグラフが表示されている。
【００３７】
図６は、携帯端末１０において、車両２４０の減速に関する速度制御情報が提示される様子を例示する図である。図６（ａ）のケースにおいて、携帯端末１０に対して出力される速度制御情報は、「車両２４０が 30km/h まで減速される」ということを示している。そこで携帯端末１０のディスプレイ装置１２には、「30km/h まで減速する」という旨の通知３０が表示されている。
【００３８】
図６（ｂ）のケースにおいて、携帯端末１０に対して出力される速度制御情報は、今後５秒間における車両２４０の速度の変化を示している。そこで携帯端末１０のディスプレイ装置１２には、今後５秒間における車両２４０の速度の変化を表すグラフが表示されている。なお、携帯端末１０に対して出力される速度制御情報は、具体的な速度を示す情報に限られず、車両２４０の速度の大きな変化（急加速、急減速、又は急停止など）を示す文字や画像等であってもよい。
【００３９】
上述の例のように、車両２４０の速度の制御に関する情報を車両２４０の搭乗者に提供することで、車両２４０の搭乗者は、今後車両２４０の速度がどのように変わるかを容易に把握することができる。よって、予期せぬ加速や減速で車両２４０の搭乗者が不安を感じるといった問題を防ぐことができるため、車両２４０の搭乗者が安心して車両２４０に乗車していられるようになる。
【００４０】
なお、通知３０の具体的な態様（文字のフォントや色、画像の大きさや色、背景の色、枠の大きさや形状など）は、携帯端末１０ごとに異なっていてもよい。これにより、各携帯端末１０の所有者に最適な態様で情報を通知することが可能となる。以降で説明する種々の通知３０についても同様である。
【００４１】
＜＜＜ステアリング制御情報＞＞＞
自動走行状態において、自動運転制御装置は、車両２４０のステアリングを制御する。そこで、例えば出力先特定部２０２は、制御情報としてステアリング制御情報を取得する。
【００４２】
ステアリングの制御は、例えば、カーブや交差点で曲がる、車線変更をする、又は緊急回避を行う（例えば障害物を避ける）などの目的で行われる。カーブや交差点に関するステアリング制御情報は、例えば、どのカーブや交差点で曲がるか、左右どちらに曲がるか、及び制御が行われるタイミングなどを示す。車線変更に関するステアリング制御情報は、例えば、左右どちらの車線へ移動するか、及び制御が行われるタイミングなどを示す。緊急回避に関するステアリング制御情報は、例えば、左右どちらに移動するか、障害物に関する情報、及び制御が行われるタイミングなどを示す。
【００４３】
図７は、携帯端末１０においてステアリング制御情報が提示される様子を例示する図である。図７（ａ）のケースにおいて、携帯端末１０に対して出力されるステアリング制御情報は、「車両２４０が、５秒後に、交差点Ａを左に曲がる」ということを示している。そこで携帯端末１０のディスプレイ装置１２には、このステアリング制御情報を表す通知３０が表示されている。
【００４４】
図７（ｂ）のケースにおいて、携帯端末１０に対して出力されるステアリング制御情報は、「車両２４０が、３秒後に車線変更を行って、右側の車線に移動する」ということを示している。そこで携帯端末１０のディスプレイ装置１２には、このステアリング制御情報を表す通知３０が表示されている。
【００４５】
図７（ｃ）のケースにおいて、携帯端末１０に対して出力されるステアリング制御情報は、「車両２４０が、１秒後、人を避けるために右側へ移動する」ということを示している。そこで携帯端末１０のディスプレイ装置１２には、このステアリング制御情報を表す通知３０が表示されている。
【００４６】
交差点やカーブなどで曲がる、車線変更をする、又は緊急回避をするといった動作を予期せず車両２４０が行うと、車両２４０の搭乗者が不安を感じる恐れがある。上述の例のように、車両２４０のステアリングの制御に関する情報を車両２４０の搭乗者に提供することで、車両２４０の搭乗者は、車両２４０の挙動（特に走行経路）がどのように変化するかを容易に把握することができるようにする。これにより、予期せぬ車両２４０の挙動によって搭乗者が不安を感じるといった問題を防ぐことができるため、車両２４０の搭乗者が安心して車両２４０に乗車していられるようになる。
【００４７】
＜＜＜走行状態制御情報＞＞＞
自動走行状態において、自動運転制御装置は、車両２４０の走行状態を手動走行状態に切り替える制御を行うことがある。例えば、自動走行が禁止されているエリアを通らなければならない場合などに、このような制御が行われる。車両２４０の走行状態が手動走行状態に切り替わると、車両２４０のドライバは、自ら車両２４０を運転しなければならない。
【００４８】
そこで例えば、出力先特定部２０２は、制御情報として、車両２４０の走行状態が自動走行状態から手動走行状態に切り替わるタイミングを示す走行状態制御情報を取得する。この情報を車両２４０のドライバに提供することで、車両２４０のドライバは、余裕を持って運転に備えることができる。ただし、車両２４０の走行状態が自動走行状態から手動走行状態に切り替わるタイミングを示す走行状態制御情報は、車両２４０のドライバ以外の搭乗者に提供されてもよい。
【００４９】
車両２４０の走行状態が手動走行状態に切り替わるタイミングは、例えば、時刻や場所によって特定される。前者の場合、特定の時刻において、車両２４０の走行状態が手動走行状態に切り替わる。後者の場合、特定の場所（例えば交差点など）において、車両２４０の走行状態が手動走行状態に切り替わる。
【００５０】
図８は、携帯端末１０において、車両２４０の走行状態が自動走行状態から手動走行状態に切り替わるタイミングが提示される様子を例示する図である。図８（ａ）のケースにおいて、携帯端末１０に対して出力される制御情報は、「車両２４０の走行状態が１分後に手動走行状態に切り替わる」ということを示している。そこで携帯端末１０のディスプレイ装置１２には、この制御情報を表す通知３０が表示されている。
【００５１】
図８（ｂ）のケースにおいて、携帯端末１０に対して出力される制御情報は、「車両２４０の走行状態が、交差点Ａにおいて、手動走行状態に切り替わる」ということを示している。そこで携帯端末１０のディスプレイ装置１２には、この制御情報を表す通知３０が表示されている。
【００５２】
＜＜＜制御情報の取得方法：Ｓ１０２＞＞＞
出力先特定部２０２が制御情報を取得する方法は任意である。例えば出力先特定部２０２は、自動運転制御装置から送信される制御情報を受信することで、制御情報を取得する。その他にも例えば、出力先特定部２０２は、自動運転制御装置にアクセスすることで、制御情報を取得する。
【００５３】
＜＜環境情報＞＞
環境情報は、車両２４０の周囲の環境を示す。環境情報を車両２４０の搭乗者に提示することで、車両２４０の搭乗者は、周囲の環境の現状や今後の変化などを容易に把握することができるようになる。こうすることで、車両２４０の搭乗者が、より安心して車両２４０に乗車していられるようになる。
【００５４】
環境情報は、例えば、他車情報及び障害物情報のいずれか１つ以上を含む。他車情報は、車両２４０の周囲を走行する他の車両に関する情報である。障害物情報は、車両２４０の周囲にある障害物に関する情報である。以下、これら２つの種類の情報について説明する。
【００５５】
＜＜＜他車情報＞＞＞
他車情報は、例えば、車両２４０に接近している他の車両の存在を示す。他の車両（特に大型車両）が予期せず車両２４０に接近してくると、車両２４０の搭乗者が不安を感じる恐れがある。また、車両２４０の運転を制御する自動運転制御装置がそのような他の車両の存在を正しく検知しているかどうかが分からないと、搭乗者が不安を感じる恐れがある。そこで、他の車両の接近を搭乗者に知らせることで、搭乗者がこのような不安を感じないようにする。
【００５６】
図９は、携帯端末１０において、他車情報が提示される様子を例示する図である。図９（ａ）のケースにおいて、携帯端末１０に対して出力される他車情報は、「車両２４０が走行している車線の右隣の車線において前方を走行している車両が、車両２４０の走行車線へ車線変更してくる」ということを示している。そこで携帯端末１０のディスプレイ装置１２には、この他車情報を表す通知３０が表示されている。
【００５７】
図９（ｂ）のケースにおいて、携帯端末１０に対して出力される他車情報は、「車両２４０が走行している車線の左隣の車線の後方から、大型車両が接近してくる」ということを示している。そこで携帯端末１０のディスプレイ装置１２には、この他車情報を表す通知３０が表示されている。
【００５８】
他車情報の対象となる他の車両は、大型車両（例えばダンプカー）に限定されてもよいし、限定されなくてもよい。大型車両に限定するか否かは、予め情報提供装置２００に設定されていてもよいし、車両２４０の搭乗者によって設定可能であってもよい。
【００５９】
＜＜＜障害物情報＞＞＞
障害物情報は、例えば、車両２４０の走行車線上で駐停車している車、又は車両２４０の走行車線上に存在する人や障害物（倒木など）の位置などを示す。このような障害物が予期せず出現すると、車両２４０の搭乗者が不安を感じる恐れがある。また、車両２４０の運転を制御する自動運転制御装置がそのような障害物の存在を正しく検知しているかどうかが分からないと、搭乗者が不安を感じる恐れがある。そこで、障害物の存在を搭乗者に知らせることで、搭乗者がこのような不安を感じないようにする。
【００６０】
図１０は、携帯端末１０において、障害物情報が提示される様子を例示する図である。図１０のケースで携帯端末１０に対して出力される障害物情報は、「車両２４０の前方１００ｍに人がいる」ということを示している。そこで携帯端末１０のディスプレイ装置１２には、この障害物情報を表す通知３０が表示されている。
【００６１】
＜＜＜環境情報の取得方法：Ｓ１０２＞＞＞
出力先特定部２０２は、環境情報を取得する（Ｓ１０２）。その取得方法は任意である。例えば出力先特定部２０２は、自動運転制御装置から環境情報を取得する。自動運転制御装置は、車両２４０の自動運転を制御するため、他の車両や障害物などの検出を行う。そこで、検出された他の車両や障害物に関する環境情報を、自動運転制御装置から情報提供装置２００に対して出力するようにする。なお、出力先特定部２０２は、自動運転制御装置から送信される環境情報を受信することで環境情報を取得してもよいし、自動運転制御装置にアクセスして環境情報を取得してもよい。
【００６２】
その他にも例えば、環境情報は、車両２４０の周囲を走行している他の車両から、車車間通信によって提供されてもよい。このように他の車両から環境情報を取得するようにすることには、車両２４０に設置されたカメラやセンサ（レーダやライダなど）では検出することが難しい障害物（例えばカメラやセンサの死角に位置する障害物）に関する情報などを取得することができるようになる。なお、車車間通信によって車両間で情報をやりとりする技術自体には、既存の技術を利用することができる。
【００６３】
その他にも例えば、情報提供装置２００は、車両２４０に設置されたカメラやセンサを使って環境情報を生成してもよい。カメラやセンサを使って周囲の環境を把握する技術自体には、既存の技術を利用することができる。
【００６４】
＜＜道路情報について＞＞
道路情報は、例えば、運転する際に特に注意を要する場所（事故多発地点など）に関する情報（以下、注意場所情報）を示す。事故多発地点などを通る場合、特に車両２４０のドライバは、周囲の様子などを注意深く観察する必要がある。そのため、このような地点を通ることを、予め車両２４０の搭乗者に通知することが好適である。
【００６５】
その他にも例えば、道路情報は、車両２４０が走行する道路の渋滞に関する情報（以下、渋滞情報）を示す。渋滞が予想される場合、予めそのことを車両２４０の搭乗者が把握していることが好適である。予め渋滞を把握することで、例えば車両２４０の搭乗者は、渋滞を避けるために寄り道をしたりするなどといった対処が可能となる。
【００６６】
その他にも例えば、道路情報は、自動走行状態の車両２４０の走行ルートに関する情報（以下、ルート情報）を示す。車両２４０が自動走行状態である場合に、通行止めや渋滞などが原因により、車両２４０が予め決めておいた走行ルートを変更する場合がある。このような場合、車両２４０の搭乗者に走行ルートの変更を通知しないと、車両２４０の搭乗者が不安を感じる恐れがある。そこで、走行ルートの変更などを示すルート情報を車両２４０の搭乗者に通知することが好適である。
【００６７】
図１１は、携帯端末１０において、道路情報が提示される様子を例示する図である。図１１（ａ）のケースにおいて、携帯端末１０に対して出力される道路情報は、「車両２４０がこれから走行する道路が事故多発地点である」ということを示す注意場所情報である。そこで携帯端末１０のディスプレイ装置１２には、この注意場所情報を表す通知３０が表示されている。
【００６８】
図１１（ｂ）のケースにおいて、携帯端末１０に対して出力される道路情報は、「車両２４０が走行している道路が、２ｋｍ先から渋滞している」ということを示す渋滞情報である。そこで携帯端末１０のディスプレイ装置１２には、この渋滞情報を表す通知３０が表示されている。
【００６９】
図１１（ｃ）のケースにおいて、携帯端末１０に対して出力される道路情報は、「車両２４０の走行するルートを新たなルートに変更する」という情報、現在のルートを表す情報、及び新たなルートを表す情報を含むルート情報である。そこで携帯端末１０のディスプレイ装置１２には、このルート情報を表す通知３０が表示されている。具体的には、車両２４０が走行するルートが変更されるという事実、及び車両２４０の現在の走行ルートと新たな走行ルートの概要を表す通知３０が表示されている。
【００７０】
＜＜＜道路情報の取得方法：Ｓ１０２＞＞＞
出力先特定部２０２は、道路情報を取得する（Ｓ１０２）。その取得方法は任意である。例えば出力先特定部２０２は、情報提供装置２００で利用されているカーナビゲーションシステムから、注意場所情報や渋滞情報を取得する。その他にも例えば、出力先特定部２０２は、自動運転制御装置から、ルート情報を取得する。なお、出力先特定部２０２は、カーナビゲーションシステムから送信される注意場所情報や渋滞情報を受信したり、自動運転制御装置から送信されるルート情報を受信したりしてもよい。
【００７１】
＜＜ドライバ状態情報＞＞
ドライバ状態情報は、例えば、車両２４０のドライバの集中力の高さ、ドライバの眠気の大きさ、又はドライバの疲労度の大きさなどを表す情報である。ドライバの状態を把握することで、事故を未然に防ぐための対処などが可能となる。例えばドライバ状態情報をドライバに提供することで、ドライバが、自身の集中力の低下などを自覚することができるようになる。よってドライバは、休憩をとるなどの対処を積極的にできるようになる。その他にも例えば、ドライバ状態情報をドライバ以外の搭乗者に提供することで、ドライバ以外の搭乗者は、ドライバに休憩を促したり、運転の交代を申し出たりするという対処ができる。
【００７２】
図１２は、携帯端末１０において、ドライバ状態情報が提示される様子を例示する図である。図１２のケースにおいて、携帯端末１０に対して出力されるドライバ状態情報は、「車両２４０のドライバの集中力が低下している」ということを示す。そこで携帯端末１０のディスプレイ装置１２には、このドライバ状態情報を表す通知３０が表示されている。
【００７３】
＜＜＜ドライバ状態情報の取得方法：Ｓ１０２＞＞＞
ドライバ状態情報の取得方法を説明する前に、ドライバ状態情報の生成方法について説明する。ドライバ状態情報は、例えば、車両２４０のドライバの集中力の高さ、ドライバの眠気の大きさ、又はドライバの疲労度の大きさなどを表す指標値を算出することで生成することができる。この指標値は、例えば、ドライバが撮像された撮像画像を解析することで算出することができる。より具体的には、撮像画像に含まれるドライバの眼球の動きやまばたきの多さ、又はあくびの回数などに基づいて算出することができる。ここで、人物が撮像された画像を用いて、又は当該画像と生体情報を取得するセンサの情報を組み合わせて、その人物の集中力の高さ、眠気の大きさ、又は疲労度の大きさを推測する技術には、既存の技術を利用することができる。
【００７４】
ドライバの集中力の高さ、眠気の大きさ、又は疲労度の大きさなどを表す指標値を算出する方法は、ドライバが含まれる撮像画像を利用する方法に限定されない。例えばこれらの指標値は、ドライバの生体情報を用いて算出されてもよい。生体情報は、ドライバの血流、脈拍数、心拍数、又は体温などである。
【００７５】
ドライバ状態情報は、これらの生体情報をそのまま表してもよいし、これらの生体情報に基づいて算出されたドライバの集中力の高さ、眠気の大きさ、又は疲労度の大きさなどを示してもよい。なお、或る人物の生体情報に基づいてその人物の集中力の高さ、眠気の大きさ、又は疲労度の大きさなどを推測する技術には、既存の技術を利用することができる。
【００７６】
ドライバ状態情報の生成は、情報提供装置２００によって行われてもよいし、情報提供装置２００以外の装置によって行われてもよい。前者の場合、情報提供装置２００は、上述の撮像画像や生体情報を取得してドライバ状態情報を生成する。この場合、出力先特定部２０２は、情報提供装置２００によって生成されたドライバ状態情報を取得する。
【００７７】
一方、情報提供装置２００以外の装置によってドライバ状態情報が生成される場合、情報提供装置２００は、上述の撮像画像や生体情報を取得してドライバ状態情報を生成する装置によって生成されたドライバ状態情報を取得する。ドライバ状態情報を生成する装置は、例えば情報提供装置２００と通信可能に接続されているサーバマシンである。
【００７８】
撮像画像を利用する場合、ドライバを撮像して撮像画像を生成するカメラが車両２４０に設置される。このカメラは、静止画を撮像するスチルカメラであってもよいし、動画を撮像するビデオカメラであってもよい。ドライバ状態情報を生成する装置（情報提供装置２００を含む）は、これらのカメラによって生成された撮像画像を取得する。
【００７９】
生体情報を利用する場合、ドライバの生体情報を計測するセンサ（血流センサや心拍センサなど）が利用される。ドライバ状態情報を生成する装置は、センサの測定結果を取得する。
【００８０】
例えばセンサは、車両２４０のハンドルや座席などに設置される。座席に設置されるセンサとしては、例えば、座席に微弱な電流を流したときのドライバの反応を計測することで、ドライバの心拍数などを把握するセンサがある。その他にも例えば、センサは、ドライバに装着されるウェアラブル端末に設けられてもよい。
【００８１】
＜出力先の特定：Ｓ１０４＞
出力先特定部２０２は、取得した出力情報の出力先とする携帯端末１０を特定する（Ｓ１０４）。例えば、出力情報の種類と、その種類の出力情報の出力先とすべき携帯端末１０とを、予め対応づけておく。この場合、出力先特定部２０２は、取得した出力情報の種類に対応付けられている携帯端末１０を、出力先の携帯端末１０として特定する。
【００８２】
図１３は、出力情報の種類と携帯端末１０との対応付けをテーブル形式で例示する図である。このテーブルをテーブル５００と呼ぶ。テーブル５００は、端末識別子５０２及び情報タイプ５０４を有する。端末識別子５０２は、携帯端末１０の識別子を示す。携帯端末１０の識別子としては、例えば MAC（Media Access Control）アドレス、IP（Internet Protocol）アドレス、UUID（Universally Unique Identifier）、又は Bluetooth（登録商標）通信で用いるパスキーなどの様々な識別子を採用することができる。情報タイプ５０４は、端末識別子５０２に示される識別子を持つ携帯端末１０を出力先とする出力情報の種類を示す。
【００８３】
例えば出力先特定部２０２が、出力情報として速度制御情報を取得したとする。この場合、出力先特定部２０２は、情報タイプ５０４に速度制御情報が示されているレコードが示す ID002 という端末識別子５０２を取得する。そして出力先特定部２０２は、ID002 という識別子を持つ携帯端末１０を、取得した出力情報の出力先として特定する。
【００８４】
出力先特定部２０２が出力情報の出力先を決定する方法は、テーブル５００を利用する方法に限定されない。その他の方法については、後述の実施形態で説明する。
【００８５】
＜出力情報の出力：Ｓ１０６＞
出力部２０４は、出力先として特定された携帯端末１０に対して、出力情報を出力する（Ｓ１０６）。ここで、或る装置から、その装置と通信可能に接続されている特定の装置に対して情報を出力する技術には、既存の技術を利用することができる。
【００８６】
＜情報提供装置２００が処理を実行するタイミング＞
情報提供装置２００が図４に示した一連の処理を実行するタイミングは様々である。例えば情報提供装置２００は、出力情報を生成する装置（例えば自動運転制御装置、他の車両又は情報提供装置２００自身）から出力された出力情報を取得したことを契機として、Ｓ１０４以降の処理を実行する。その他にも例えば、情報提供装置２００は、定期的に（例えば 100msec に１回）、出力情報を生成する装置や出力情報が記憶される記憶装置にアクセスするなどして、出力情報の取得を試みる。そして、出力情報を取得できた場合に、Ｓ１０４以降の処理を実行する。
【００８７】
［実施形態２］
図１４は、実施形態２の情報提供装置２００を例示するブロック図である。下記で説明する事項を除き、実施形態２の情報提供装置２００は、実施形態１の情報提供装置２００と同様の機能を有する。
【００８８】
実施形態２の情報提供装置２００は、ドライバ端末特定部２０６を有する。ドライバ端末特定部２０６は、車両２４０のドライバが利用する携帯端末１０（以下、ドライバ端末）を特定する。出力部２０４は、ドライバ端末へ出力すべき出力情報を取得した場合に、その出力情報を、ドライバ端末特定部２０６によって特定されたドライバ端末へ出力する。
【００８９】
＜ドライバ端末を特定する方法＞
ドライバ端末特定部２０６がドライバ端末を特定する方法は様々である。以下、ドライバ端末を特定する方法について例示する。
【００９０】
＜＜方法１＞＞
ドライバ端末特定部２０６は、各携帯端末１０を用いて入力される情報に基づいて、ドライバ端末を特定する。具体的には、ドライバ端末特定部２０６は、各携帯端末１０から、ドライバ端末であるか否かを指定する入力を受け付ける。そして、ドライバ端末特定部２０６は、「ドライバ端末である」という指定を表す入力がなされた携帯端末１０を、ドライバ端末として特定する。
【００９１】
図１５は、携帯端末１０から入力を受け付ける方法を例示する図である。入力画面４０は、携帯端末１０の利用者が、自分がドライバであるか否かを選択するための画面である。或る携帯端末１０の入力画面４０において YES が選択されると、ドライバ端末特定部２０６は、その携帯端末１０がドライバ端末であることを指定する入力を受け付ける。そのため、ドライバ端末特定部２０６は、その携帯端末１０をドライバ端末として特定する。
【００９２】
一方、或る携帯端末１０の入力画面４０において NO が選択されると、ドライバ端末特定部２０６は、その携帯端末１０がドライバ端末でないことを指定する入力を受け付ける。そのため、その携帯端末１０は、ドライバ端末として特定されない。
【００９３】
なお、通信可能に接続されている携帯端末１０に対して入力画面を出力する技術、及びその入力画面における入力を取得する技術には、既存の技術を利用することができる。
【００９４】
＜＜方法２＞＞
車両２４０に、ドライバ端末を接続するための接続インタフェースが設けられているとする。この場合、ドライバ端末特定部２０６は、この接続インタフェースに接続された携帯端末１０を、ドライバ端末として特定する。具体的には、ドライバ端末特定部２０６は、この接続インタフェースに接続された携帯端末１０の識別子を取得し、取得した識別子を持つ携帯端末１０をドライバ端末として特定する。
【００９５】
上記接続インタフェースとしては、種々のインタフェースを採用することができる。例えば、接続インタフェースは、携帯端末１０から情報を読み取るためのリーダ（例えば NFC（Near Field Radio Communication）リーダ）である。このリーダは、例えば車両２４０に設置されるクレードルに内蔵される。このクレードルに携帯端末１０が置かれると、上記リーダによって携帯端末１０の識別子が読み取られる。ドライバ端末特定部２０６は、このリーダから携帯端末１０の識別子を取得し、その識別子をもつ携帯端末１０を、ドライバ端末として特定する。
【００９６】
その他にも例えば、上記接続インタフェースは、USB（Universal Serial Bus）ケーブルである。この USB ケーブルに携帯端末１０が接続されると、ドライバ端末特定部２０６は、この USB ケーブルを介して、携帯端末１０の識別子を取得する。そして、ドライバ端末特定部２０６は、取得した識別子を持つ携帯端末１０を、ドライバ端末として特定する。
【００９７】
上記接続インタフェースは、車両２４０のドライバによって利用しやすい位置に設けられることが好適である。例えば上記接続インタフェースは、運転席の付近に設けておく。
【００９８】
車両２４０のドライバが積極的に携帯端末１０を上記接続インタフェースに接続するようにするためには、車両２４０のドライバに対し、携帯端末１０を上記接続インタフェースに接続することについてインセンティブを与えることが好ましい。車両２４０のドライバに対して与えるインセンティブには、様々なものを採用しうる。
【００９９】
例えば、上記接続インタフェースを介して、携帯端末１０の充電を行えるようにする。その他にも例えば、携帯端末１０に、車両２４０の走行ルートを予め設定できる機能を設けておく。そして、携帯端末１０を上記接続インタフェースへ接続することで、設定された走行ルートが自動運転制御装置によって読み出され、自動運転制御装置がその走行ルートに従って車両２４０を走行させるようにする。その他にも例えば、携帯端末１０を接続しないと、車両２４０の運転を開始できないようにしてもよい。
【０１００】
＜ドライバ端末へ出力すべき出力情報＞
ドライバ端末へ出力すべき出力情報は、車両２４０の搭乗者のうち、少なくともドライバは把握しておくべき情報である。このような情報をドライバ端末へ出力すべき出力情報とすることで、ドライバが把握しておくべき情報を、ドライバに把握させることができる。
【０１０１】
ドライバ端末へ出力すべき出力情報は、例えば前述した制御情報、環境情報、及び道路情報などである。ドライバは車両２４０の走行を管理すべき立場にあるため、車両２４０がどのように制御されているか（制御情報によって把握可能）、車両２４０がどのような環境下で走行しているか（環境情報によって把握可能）、及び車両２４０がどの道路を走行するか（道路情報によって把握可能）などをドライバが把握しておくことが好適である。
【０１０２】
ここで、ドライバ端末へ出力すべき出力情報は、ドライバ端末のみに出力されるようにしてもよいし、ドライバ端末以外に対しても出力されるようにしてもよい。ドライバ端末へ出力すべき出力情報をドライバ端末以外に対しても出力するか否かを定める情報は、予め出力先特定部２０２に設定されていてもよいし、出力先特定部２０２からアクセス可能な記憶装置に記憶されていてもよい。
【０１０３】
ドライバ端末へ出力すべき出力情報を定める方法は様々である。以下、その方法をいくつか例示する。
【０１０４】
＜＜方法１＞＞
例えば、ドライバ端末へ出力すべき出力情報の種類を、予め定義しておく。出力先特定部２０２は、取得した出力情報が、このように予め定義されている種類の情報である場合、取得した出力情報をドライバ端末へ出力する。
【０１０５】
例えば、ドライバ端末へ出力すべき出力情報の種類として、「速度制御情報」が定められているとする。この場合、出力先特定部２０２は、取得した出力情報の種類が速度制御情報である場合、その出力情報をドライバ端末へ出力する。
【０１０６】
ドライバ端末へ出力すべき出力情報の種類は、出力先特定部２０２に対して予め設定されていてもよいし、出力先特定部２０２からアクセス可能な記憶装置に記憶されていてもよい。
【０１０７】
＜＜方法２＞＞
例えば、「ドライバ端末へ出力すべき情報であるか否か」を示すフラグが出力情報に含まれるように、出力情報の構造を定義する。この場合、出力情報を取得した出力先特定部２０２は、その出力情報が示す上記フラグの値をチェックする。このフラグが「ドライバ端末へ出力すべき情報である」ということを示している場合、出力先特定部２０２は、この出力情報を出力すべき携帯端末１０として、ドライバ端末を特定する。
【０１０８】
＜ドライバ端末以外の携帯端末１０へ出力すべき出力情報＞
出力先特定部２０２は、ドライバ端末以外の携帯端末１０へ出力すべき出力情報を取得してもよい。この出力情報は、車両２４０の搭乗者のうち、ドライバ以外の搭乗者の少なくとも一人によって把握されることが好適である情報である。このような情報を「ドライバ端末以外の携帯端末１０へ出力すべき出力情報」とすることで、ドライバ以外の搭乗者が把握しておくべき情報を、ドライバ以外の搭乗者に把握させることができるようになる。
【０１０９】
ドライバ端末以外の携帯端末１０へ出力すべき出力情報は、例えば、前述したドライバ状態情報である。前述したように、ドライバの集中力の低下などをドライバ以外の搭乗者が把握することで、ドライバ以外の搭乗者は、ドライバに対して休憩を促したり、運転の交代を申し出たりするといった対処ができる。
【０１１０】
ここで、ドライバ端末以外の携帯端末１０へ出力すべき情報の出力先は、ドライバ端末以外の全ての携帯端末１０であってもよいし、特定の携帯端末１０であってもよい。前者の場合、ドライバ端末以外の携帯端末１０へ出力すべき出力情報を取得した出力先特定部２０２は、情報提供装置２００と通信可能に接続されている全ての携帯端末１０のうち、ドライバ端末特定部２０６によって特定されたドライバ端末以外の全ての携帯端末１０を、出力情報の出力先として特定する。
【０１１１】
一方、特定の携帯端末１０を、ドライバ端末以外の携帯端末１０へ出力すべき出力情報の出力先とする場合、その特定の携帯端末１０を予め定めておく。この場合、ドライバ端末以外の携帯端末１０へ出力すべき出力情報を取得した出力先特定部２０２は、上記予め定められている携帯端末１０を、出力情報の出力先として特定する。この「特定の携帯端末１０」を定めた情報は、出力先特定部２０２に設定されていてもよいし、出力先特定部２０２からアクセス可能な記憶装置に記憶されていてもよい。
【０１１２】
ただし、ドライバ端末以外の携帯端末１０へ出力すべき出力情報は、その出力先の中に、ドライバ端末以外の携帯端末１０が少なくとも１つ含まれていればよい。そのため、ドライバ端末以外の携帯端末１０へ出力すべき出力情報の出力先には、ドライバ端末が含まれていてもよい。
【０１１３】
＜ハードウエア構成の例＞
実施形態２の自動運転制御装置のハードウエア構成は、実施形態１の情報提供装置２００のハードウエア構成と同様に、例えば図３で表される。また本実施形態において、前述したストレージデバイス１０８に記憶されるプログラムモジュールには、本実施形態で説明した機能を実現するプログラムがさらに含まれる。
【０１１４】
［実施形態３］
図１６は、実施形態３の情報提供装置２００をその使用環境と共に例示するブロック図である。下記で説明する事項を除き、実施形態３の情報提供装置２００は、実施形態２の情報提供装置２００と同様の機能を有する。
【０１１５】
実施形態３の情報提供装置２００は、サーバ装置５０と通信可能に接続されている。サーバ装置５０は、車両２４０を対象とする損害保険の保険料の算出に利用される情報を管理する。例えばサーバ装置５０は、上記損害保険を提供する保険会社が所有するサーバ装置である。
【０１１６】
実施形態３の情報提供装置２００は、第２出力部２０８を有する。第２出力部２０８は、サーバ装置５０に対して、ドライバ端末と車両２４０との接続状況に関する情報を出力する。例えばこの情報は、ドライバ端末と車両２４０とが通信可能に接続されていた時間の長さなどを示す。
【０１１７】
第２出力部２０８からサーバ装置５０へ出力される情報は、上記損害保険に加入している人物（例えば車両２４０の所有者）へ請求する保険料を決定するために利用される。例えばこの保険料は、車両２４０が動作している時間（例えば車両２４０のエンジンがＯＮになっている時間）と、ドライバ端末と車両２４０とが通信可能に接続されている時間との比率が大きいほど、低額になるように算出される。
【０１１８】
前述したように、ドライバ端末が車両２４０に対して通信可能に接続されていると、制御情報などが情報提供装置２００からドライバ端末へ出力される。よって、車両２４０を安全に運用するために役立つ情報を、車両２４０のドライバが把握しやすくなる。その結果、車両２４０が関与する事故の発生確率が低くなる。
【０１１９】
そこで、ドライバ端末と車両２４０とが通信可能に接続されている時間に基づいて、車両２４０を対象とする損害保険の保険料を決定することで、車両２４０のドライバに対し、ドライバ端末を車両２４０に対して通信可能に接続させるインセンティブを与える。こうすることで、車両２４０が関与する事故の発生を抑制することができる。
【０１２０】
＜ハードウエア構成の例＞
実施形態２の自動運転制御装置のハードウエア構成は、実施形態１の情報提供装置２００のハードウエア構成と同様に、例えば図３で表される。また本実施形態において、前述したストレージデバイス１０８に記憶されるプログラムモジュールには、本実施形態で説明した機能を実現するプログラムがさらに含まれる。
【０１２１】
以上、図面を参照して本発明の実施形態について述べたが、これらは本発明の例示であり、上記各実施形態の組み合わせ、又は上記以外の様々な構成を採用することもできる。
【符号の説明】
【０１２２】
１０  携帯端末
１２  ディスプレイ装置
２０  制御装置
３０  通知
４０  入力画面
５０  サーバ装置
１００  計算機
１０２  バス
１０４  プロセッサ
１０６  メモリ
１０８  ストレージデバイス
１１０  入出力インタフェース
１１２  ネットワークインタフェース
１１２  ネットワークインタフェース
２００  情報提供装置
２０２  提供先特定部
２０４  出力部
２０６  ドライバ端末特定部
２０８  第２出力部
２４０  車両
５００  テーブル
５０２  端末識別子
５０４  情報タイプ
【図１】
2018105745.tif 000003
【図２】
2018105745.tif 000004
【図３】
2018105745.tif 000005
【図４】
2018105745.tif 000006
【図５】
2018105745.tif 000007
【図６】
2018105745.tif 000008
【図７】
2018105745.tif 000009
【図８】
2018105745.tif 000010
【図９】
2018105745.tif 000011
【図１０】
2018105745.tif 000012
【図１１】
2018105745.tif 000013
【図１２】
2018105745.tif 000014
【図１３】
2018105745.tif 000015
【図１４】
2018105745.tif 000016
【図１５】
2018105745.tif 000017
【図１６】
2018105745.tif 000018